【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備える表示装置において、
前記第２の制御部の起動に要する時間は、前記第１の制御部の起動に要する時間よりも短く、
前記表示装置を電源ＯＮ状態からスタンバイ状態にする指示を受信すると、
前記第２の制御部から、前記第１の制御部に対して電源ＯＦＦ要求を送信し、
前記第１の制御部が、前記電源ＯＦＦ要求に応答して、予め定められた前記第２の表示部で表示すべき情報を、前記第１のメモリから読み出して前記第２の制御部へ送信した後、自身の電源をＯＦＦし、
前記第２の制御部が、前記第１の制御部から受信した前記第２の表示部で表示すべき情報を前記第２のメモリに保存した後、自身の電源をＯＦＦすることにより、前記表示装置を前記スタンバイ状態にし、
前記スタンバイ状態において、前記表示装置を電源ＯＮ状態にする指示を受信すると、前記第２の制御部の電源をＯＮし、前記第２の制御部は、電源がＯＮされると前記第１の制御部に電源ＯＮ要求を出力するとともに、前記第２のメモリから前記第２の表示部で表示すべき情報を読み出し、前記第２の表示部に表示させることを特徴とする表示装置。
【請求項２】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備える表示装置において、
前記第２の制御部の起動に要する時間は、前記第１の制御部の起動に要する時間よりも短く、
前記表示装置を、電源ＯＮ状態からスタンバイ状態にする指示を受信すると、
前記第２の制御部が、前記第１の制御部に対して電源ＯＦＦ要求を送信した後、自身の電源をＯＦＦし、
前記第１の制御部が、前記電源ＯＦＦ要求に応答して、予め定められた前記第２の表示部で表示すべき情報を前記第１のメモリに保存した後、自身の電源をＯＦＦすることにより、前記表示装置を前記スタンバイ状態にし、
前記スタンバイ状態において、前記表示装置を電源ＯＮ状態にする指示を受信すると、前記第２の制御部の電源をＯＮし、前記第２の制御部は電源がＯＮされると、前記第１の制御部に電源ＯＮ要求を出力し、
前記第１の制御部が、前記電源ＯＮ要求に応答して、前記第１の制御部の起動処理に先立ち、前記第２の表示部で表示すべき情報を前記第１のメモリから読み出して前記第２の制御部に送信し、
前記第２の制御部が、前記第１の制御部から受信した、前記第２の表示部で表示すべき情報を、前記第２のメモリに保存するとともに前記第２の表示部に表示させることを特徴とする表示装置。
【請求項３】
前記第２の表示部で表示すべき情報が、前記第１の制御部が前記電源ＯＦＦ要求を受信した際に前記第１の表示部で表示していた映像の放送元についての情報または、前記第１の制御部が前記電源ＯＦＦ要求を受信した際の音量についての情報を含むことを特徴とする請求項１または請求項２に記載の表示装置。
【請求項４】
前記第２の制御部が前記第１の制御部に電源ＯＮ要求を出力してから、前記第１の制御部から起動処理の完了が通知されるまでの間に、前記映像の放送元または前記音量を変更する指示を受けると、前記第２の制御部は、変更後の前記映像の放送元または前記音量についての情報を前記第２の表示部に表示させるとともに、前記第２のメモリに保存し、
前記第１の制御部は、前記第２の制御部からの電源ＯＮ要求を受けた後、起動処理が完了すると、前記起動完了通知を前記第２の制御部に送信し、
前記第２の制御部は、前記第１の制御部からの起動完了通知に応答して、前記第２のメモリから前記変更後の前記映像の放送元または前記音量についての情報を読み出して、前記第１の制御部に送信し、
前記第１の制御部は、前記第２の制御部から受信した前記変更後の前記映像の放送元または前記音量についての情報に基づいて、前記映像の放送元または前記音量を変更する制御を行うことを特徴とする請求項３に記載の表示装置。
【請求項５】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備え、前記第２の制御部の起動に要する時間は、前記第１の制御部の起動に要する時間よりも短い表示装置の制御方法であって、
前記表示装置を、電源ＯＮ状態からスタンバイ状態にする指示を受信すると、
前記第２の制御部が、前記第１の制御部に対して電源ＯＦＦ要求を送信する工程と、
前記第１の制御部が、前記電源ＯＦＦ要求に応答して、予め定められた前記第２の表示部で表示すべき情報を、前記第１のメモリから読み出して前記第２の制御部へ送信した後、自身の電源をＯＦＦする工程と、
前記第２の制御部が、前記第１の制御部から受信した前記第２の表示部で表示すべき情報を前記第２のメモリに保存した後、自身の電源をＯＦＦすることにより、前記表示装置を前記スタンバイ状態にする工程と、
前記スタンバイ状態において、前記表示装置を電源ＯＮ状態にする指示を受信すると、前記第２の制御部の電源をＯＮする工程と、
電源をＯＮされると、前記第２の制御部が、前記第１の制御部に電源ＯＮ要求を出力するとともに、前記第２のメモリから前記第２の表示部で表示すべき情報を読み出し、前記第２の表示部に表示させる工程とを有することを特徴とする表示装置の制御方法。
【請求項６】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備え、前記第２の制御部の起動に要する時間は、前記第１の制御部の起動に要する時間よりも短い表示装置の制御方法であって、
前記表示装置を、電源ＯＮ状態からスタンバイ状態にする指示を受信すると、
前記第２の制御部が、前記第１の制御部に対して電源ＯＦＦ要求を送信した後、自身の電源をＯＦＦする工程と、
前記第１の制御部が、前記電源ＯＦＦ要求に応答して、予め定められた前記第２の表示部で表示すべき情報を前記第１のメモリに保存した後、自身の電源をＯＦＦすることにより、前記表示装置を前記スタンバイ状態にする工程と、
前記スタンバイ状態において、前記表示装置を電源ＯＮ状態にする指示を受信すると、前記第２の制御部の電源をＯＮする工程と、
電源をＯＮされると、前記第２の制御部が、前記第１の制御部に電源ＯＮ要求を出力する工程と、
前記第１の制御部が、前記電源ＯＮ要求に応答して、前記第１の制御部の起動処理に先立ち、前記第２の表示部で表示すべき情報を前記第１のメモリから読み出して前記第２の制御部に送信する工程と、
前記第２の制御部が、前記第１の制御部から受信した、前記第２の表示部で表示すべき情報を前記第２のメモリに保存するとともに前記第２の表示部に表示させる工程とを有することを特徴とする表示装置の制御方法。
【手続補正２】
【補正対象書類名】明細書
【補正対象項目名】００１０
【補正方法】変更
【補正の内容】
【００１０】
上述の目的は、第１の表示部と、第２の表示部と、第１の表示部の制御を行う第１の制御部と、第２の表示部の制御を行う第２の制御部と、第１の制御部からアクセス可能な第１のメモリと、第２の制御部からアクセス可能な第２のメモリと、を備える表示装置において、第２の制御部の起動に要する時間は、第１の制御部の起動に要する時間よりも短く、表示装置を電源ＯＮ状態からスタンバイ状態にする指示を受信すると、第２の制御部から、第１の制御部に対して電源ＯＦＦ要求を送信し、第１の制御部が、電源ＯＦＦ要求に応答して、予め定められた第２の表示部で表示すべき情報を、第１のメモリから読み出して第２の制御部へ送信した後、自身の電源をＯＦＦし、第２の制御部が、第１の制御部から受信した第２の表示部で表示すべき情報を第２のメモリに保存した後、自身の電源をＯＦＦすることにより、表示装置をスタンバイ状態にし、スタンバイ状態において、表示装置を電源ＯＮ状態にする指示を受信すると、第２の制御部の電源をＯＮし、第２の制御部は、電源がＯＮされると前記第１の制御部に電源ＯＮ要求を出力するとともに、第２のメモリから第２の表示部で表示すべき情報を読み出し、第２の表示部に表示させることを特徴とする表示装置によって達成される。
【手続補正３】
【補正対象書類名】明細書
【補正対象項目名】００１１
【補正方法】変更
【補正の内容】
【００１１】
上述の目的は、第１の表示部と、第２の表示部と、第１の表示部の制御を行う第１の制御部と、第２の表示部の制御を行う第２の制御部と、第１の制御部からアクセス可能な第１のメモリと、第２の制御部からアクセス可能な第２のメモリと、を備える表示装置において、第２の制御部の起動に要する時間は、第１の制御部の起動に要する時間よりも短く、表示装置を、電源ＯＮ状態からスタンバイ状態にする指示を受信すると、第２の制御部が、第１の制御部に対して電源ＯＦＦ要求を送信した後、自身の電源をＯＦＦし、第１の制御部が、電源ＯＦＦ要求に応答して、予め定められた第２の表示部で表示すべき情報を第１のメモリに保存した後、自身の電源をＯＦＦすることにより、表示装置をスタンバイ状態にし、スタンバイ状態において、表示装置を電源ＯＮ状態にする指示を受信すると、第２の制御部の電源をＯＮし、第２の制御部は電源がＯＮされると、前記第１の制御部に電源ＯＮ要求を出力し、第１の制御部が、電源ＯＮ要求に応答して、第１の制御部の起動処理に先立ち、前記第２の表示部で表示すべき情報を第１のメモリから読み出して第２の制御部に送信し、第２の制御部が、第１の制御部から受信した、第２の表示部で表示すべき情報を、第２のメモリに保存するとともに第２の表示部に表示させることを特徴とする表示装置によっても達成される。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】図面
【補正対象項目名】図５
【補正方法】変更
【補正の内容】
【図５】
2009130397.tif 000001
【手続補正７】
【補正対象書類名】図面
【補正対象項目名】図６
【補正方法】変更
【補正の内容】
【図６】
2009130397.tif 000002